【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  圧縮符号化および／または暗号化されたソフトウェアが無料で配付され、配付されたソフトウェアを復号するに際し、課金処理がなされるようにした課金情報処理装置において、
ユーザデバイスにおけるソフトウェアの過去の使用履歴情報を記憶しているユーザ端末に有線または無線通信手段を介して接続できる手段と、
上記ユーザ端末との間で安全に使用権データをやり取りするための認証・暗号化手段とを有し、
上記ユーザ端末に使用権データを販売した際に、上記ユーザ端末から上記使用履歴情報を転送することを特徴とする課金情報処理装置。
【請求項２】  請求項１において、
上記使用履歴情報は、上記ソフトウェアおよび／または上記ユーザ端末を識別するための識別子を含むことを特徴とする課金情報処理装置。
【請求項３】  請求項２において、
さらに、上記使用履歴情報を基に、各々のソフトウェアの使用料を算出することを特徴とする課金情報処理装置。
【請求項４】  請求項３において、
さらに、算出した使用料を委託者に支払うようにしたことを特徴とする課金情報処理装置。
【請求項５】  請求項１において、
上記ユーザ端末は、上記ユーザデバイスに対して上記使用権データ転送する機能を有することを特徴とする課金情報処理装置。
【請求項６】  請求項５において、
上記ユーザ端末は、複数の上記ユーザデバイスに間で共用可能なように、可搬型とされたことを特徴とする課金情報処理装置。
【請求項７】  請求項１において、
上記ユーザ端末に対して上記使用権データを販売する機能を有することを特徴とする課金情報処理装置。
【請求項８】  請求項１において、
上記ソフトウェアは、オーディオデータ、ビデオデータ、静止画像データ、文字データ、コンピュータグラフィックデータ、ゲームソフトウェア、およびコンピュータプログラムの内の少なくとも１つであることを特徴とするデータ課金情報処理装置。
【請求項９】  圧縮符号化および／または暗号化されたソフトウェアが無料で配付され、配付されたソフトウェアを復号するに際し、課金処理がなされるようにした課金情報処理方法において、
ユーザデバイスにおけるソフトウェアの過去の使用履歴情報を記憶しているユーザ端末に有線または無線通信手段を介して接続し、
上記ユーザ端末との間で安全に使用権データをやり取りするための認証・暗号化を行い、
上記ユーザ端末に使用権データを販売した際に、上記ユーザ端末から上記使用履歴情報を転送することを特徴とする課金情報処理方法。
【手続補正２】
【補正対象書類名】明細書
【補正対象項目名】００１２
【補正方法】変更
【補正の内容】
【００１２】
１０３は、著作権管理機構を示す。例えばＪＡＳＲＡＣ（日本音楽著作権協会）は、著作権管理機構１０２の具体例である。レコード会社１０１は、著作権管理機構１０３から複製等の許諾を受け、著作権管理機構１０３に著作権料を支払う。
【手続補正３】
【補正対象書類名】明細書
【補正対象項目名】００１９
【補正方法】変更
【補正の内容】
【００１９】
ユーザデバイス１０４が受け取ったコンテンツの再生のために聴取権データを要求すると、認証／課金サーバ１１１に対してユーザデバイス１０４の認証を要求する（Ａ１の経路で示す）。ユーザデバイス１０４が正規のものであり、認証が成立すると、認証／課金サーバ１１１は、ユーザデバイス１０４に対して課金の要求を行う（経路Ａ２）。また、ユーザデバイス１０４は、決済センター１１０との間で、代金決済を行う（経路Ａ３）。
【手続補正４】
【補正対象書類名】明細書
【補正対象項目名】００２０
【補正方法】変更
【補正の内容】
【００２０】
決済センター１１０は、認証／課金サーバ１１１に対して、経路Ａ４で示すように、課金がされたことまたは課金が可能であることを伝達すると共に、コンテンツサーバ１０２に対してコンテンツの鍵データ情報を要求する（経路Ａ５）。コンテンツサーバ１０２が認証／課金サーバ１１１に暗号化を復号するためのマスターとなる鍵データを渡す（経路Ａ６）。認証／課金サーバ１１１がユーザデバイス１０４に対して、聴取権データとともに鍵データを渡す（経路Ａ７）。ユーザデバイス１０４は、この鍵データによって、暗号を復号化し、再生することができる。復号化がされることをもって、そのコンテンツの再生がされたものと判断され、聴取権データ１０９の度数が例えば−１される。度数が０に達すると、ユーザデバイス１０９が復号化ができなくなる。図１では、マスターとなる鍵データを聴取権データとともに伝達する場合について示したが、この他、あらかじめユーザーデバイスの製造時に固定の鍵データを記憶させておく方法や、コンテンツに解読が困難な符号化で鍵データを埋めこみコンテンツと共に鍵データを伝達する方法またはこれらを組み合わせた方法を用いても良い。
【手続補正５】
【補正対象書類名】明細書
【補正対象項目名】００２８
【補正方法】変更
【補正の内容】
【００２８】
さらに、決済センター１１０は、レコード会社１０１から聴取権データに関するサービスの管理の委託を受ける。また、決済センター１１０は、レコード会社１０１に対して聴取権データに関する技術の提供を行い、さらに、楽曲聴取料を支払う。レコード会社１０１は、図１を参照して説明したように、著作権管理機構１０３に対して著作権の登録を行うことによって、著作権の使用に応じて著作権料を支払う。
【手続補正６】
【補正対象書類名】明細書
【補正対象項目名】００４６
【補正方法】変更
【補正の内容】
【００４６】
操作部２２は、ユーザが操作するスイッチ、キー等であり、プレーヤ２０１の動作を制御する指示を発生する。ディスプレイ２３は、例えば液晶からなるもので、プレーヤ２０１の動作を制御するためのメニューを表示したり、動作状態を表示するために使用される。メモリ部２４は、システムコントローラ２１内のメモリの容量が少ないために設けられた外部メモリである。モデム２５は、公衆回線と接続され、外部とのデータの通信に使用される。例えば、セキュアデコーダ２０２のメモリ部１６内の再生ログをメモリ部２４に転送することによって、残りの再生可能回数または再生可能時間をディスプレイ２３に表示したり、再生ログをモデム２５を介して送信することが可能とされている。さらに、聴取権データをモデム２５を介して受信することも可能である。このようにプレーヤ自体がデータチャージャの機能をあわせ持っていても良い。
【手続補正７】
【補正対象書類名】明細書
【補正対象項目名】００６９
【補正方法】変更
【補正の内容】
【００６９】
４０３は、聴取権カウンタを示す。聴取権カウンタ４０３においては、後でより詳細に説明するが、再生データを復号する度に、聴取権データに対して変更を加える。例えばメモリ部１６に格納されている聴取権データ例えば度数データを減算する処理を行う。メモリ部１６に格納される聴取権データは、アンテナ１８（またはライン）と通信モジュール１７とによって、上述した聴取権データチャージャ２０４から送信されたものである。通信モジュール１７内には、暗号化・復号化のモジュールが設けられている。なお、ここでは、楽曲データを取り扱うために、聴取権の用語を使用しているが、映像データを含めて考えた時には、聴取権の代わりに視聴権の用語が使用される。